(57)【要約】【課題】嵌合力が適度であり、厚みが薄い材質でも組立が安易で、且つ、組立後も外れ難い嵌合仕切り材を提供する。【解決手段】この発明の第１の仕切り材７は、第２の仕切り材８と嵌合する複数の縦方向の切り込み９と、当該縦方向の切り込み９の閉塞端にそれぞれ設けられて、その縦方向の切り込み９と一体になってＴ字状の切り込みを形成する横方向の切り込み１０とを備えるようにしたので、第２の仕切り材８と嵌合させる場合の嵌合力が適度（強すぎず、弱すぎず）であり、嵌合により切り込み以上に破れたり破損したりすることがなく、仕切り材がたとえ厚みの薄い材質であったとしても、組立が容易で、かつ、組立後も外れにくい。また、第２の仕切り材８との嵌合位置が固定され、嵌合後の仕切り体としての格子形状が安定する。【選択図】図４
2013018537.tif 000002
【特許請求の範囲】
【請求項１】
複数の第１の仕切り材と複数の第２の仕切り材とを互いに直角に交差嵌合して梱包箱の中仕切り体を構成する仕切り材であって、
前記第１の仕切り材は、前記第２の仕切り材と嵌合する複数の縦方向の切り込みと、当該縦方向の切り込みの閉塞端にそれぞれ設けられて、前記縦方向の切り込みと一体になってＴ字状の切り込みを形成する横方向の切り込みと
を備えることを特徴とする仕切り材。
【請求項２】
前記第２の仕切り材にも、前記第１の仕切り材と嵌合する複数の縦方向の切り込みと、当該縦方向の切り込みの閉塞端にそれぞれ設けられて、前記縦方向の切り込みと一体になってＴ字状の切り込みを形成する横方向の切り込みと
を備えることを特徴とする請求項１記載の仕切り材。
【発明の詳細な説明】
【技術分野】
【０００１】
この発明は、梱包箱の内部を仕切るための仕切り材に関するものである。
【背景技術】
【０００２】
従来より、梱包箱の内部を仕切るために、例えば段ボール製の仕切り材を設置して、内部を複数の収容空間に仕切ることが行われている。例えば、特許文献１，２等には、複数の物品を収容する包装箱の中仕切として、段ボール製の矩形（帯板状）の複数の第１の仕切り材と、同じく複数の第２の仕切り材とを、互いに直交するように組み合わせて、格子状の中仕切としたものが開示されている。
【０００３】
この際、それぞれの仕切り材には、図１（ａ）に示すように、通常のトムソン加工などの型加工により幅（Ｗ）の細い切り欠きが設けられているか、または、図１（ｂ）に示すように、縦方向にのみ切り込み１が設けられているものが一般的であり、それらの切り欠きまたは切り込み１の部分を縦横に交差嵌合させて、梱包箱に収めて使用する。
【先行技術文献】
【特許文献】
【０００４】
【特許文献１】特開平１０−１２９６５３号公報
【特許文献２】特開２０１０−４２８２０号公報
【発明の概要】
【発明が解決しようとする課題】
【０００５】
しかしながら、図１（ａ）に示すような切り欠きを設ける場合には、通常のトムソン加工などの型加工では、あまり幅が細いと抜き刃間の距離が狭く、抜き後のカス取りが困難であり、目詰まりを起こしてしまうため、幅（Ｗ）が３ｍｍ以上の切り欠き形状しか形成できない。そのため、嵌め合わせる相手側の仕切り材が厚み３ｍｍ以下のＢフルート材などの薄板材の場合、嵌合力が弱く、組立時や輸送時に外れやすい構造になってしまうという課題があった。
【０００６】
また、図１（ｂ）に示すような切り込み１を設けた場合には、その切り込み１の面保持力が強く強固な嵌合力となるが、嵌合力が強すぎるため、切り込み１に相手側の仕切り材を無理やり嵌め合わせることになってしまう。そのため、仕切り材を潰しながらの嵌合となり、切り込み１や、その切り込み１の閉塞端（開放端とは反対側の終点）２で破損するなど、潰れ状態や潰れる場所が安定せず、結果的に、破れが発生したり嵌合位置がばらつき、嵌合後の格子形状が安定せず、また、不良品が発生してしまうという課題があった。
【０００７】
この発明は、上記のような課題を解決するためになされたものであり、嵌合力が適度であり、厚みが薄い材質でも組立が安易で、且つ、組立後も外れ難い嵌合仕切り材を提供することを目的とする。
【課題を解決するための手段】
【０００８】
上記目的を達成するため、この発明の仕切り材は、複数の第１の仕切り材と複数の第２の仕切り材とを互いに直角に交差嵌合して梱包箱の中仕切り体を構成する仕切り材であって、前記第１の仕切り材は、前記第２の仕切り材と嵌合する複数の縦方向の切り込みと、当該縦方向の切り込みの閉塞端にそれぞれ設けられて、前記縦方向の切り込みと一体になってＴ字状の切り込みを形成する横方向の切り込みとを備えることを特徴とする。
【発明の効果】
【０００９】
この発明の仕切り材（第１の仕切り材７）によれば、第２の仕切り材８と嵌合させる場合の嵌合力が適度（強すぎず、弱すぎず）であり、嵌合により切り込み以上に破れたり破損したりすることがなく、仕切り材がたとえ厚みの薄い材質であったとしても、組立が容易で、かつ、組立後も外れにくい。また、第２の仕切り材８との嵌合位置が固定され、嵌合後の格子形状が安定する。
【図面の簡単な説明】
【００１０】
【図１】従来の仕切り材の嵌合用切り込み部分の拡大図である。
【図２】（ａ）は、パッドと中仕切り体の分解斜視図であり、（ｂ）は、パッドと中仕切り体が交互に配置された仕切りユニットを梱包箱に収納する状態を示す分解斜視図である。
【図３】この発明における中仕切り体の構成図（構成斜視図）である。
【図４】この発明における仕切り材の嵌合用切り込み部分の拡大図である。
【発明を実施するための形態】
【００１１】
以下、この発明の実施の形態について、図面を参照しながら詳細に説明する。
実施の形態１．
複数の梱包物を１つの梱包箱に収容する場合、図２（ａ）に示すように、パッド３と中仕切り体４が交互に配置された仕切りユニット５を、図２（ｂ）に示すように梱包箱６に収納して、その空間に梱包物を収容し、輸送時のキズ付や破損を防止する。
中仕切り体４は、図３に示すように、複数の嵌合用の切り込みを設けた複数の第１の仕切り材７と複数の第２の仕切り材８とを互いに直角に交差嵌合（縦横交わるように嵌合）させ、梱包物を囲う格子状の空間を形成したものである。
【００１２】
図４は、図３に示す中仕切り体４において、第１の仕切り材７および第２の仕切り材８の嵌合用切り込み部分Ａの拡大図である。
図４に示すように、第１の仕切り材７は、図１（ｂ）の切り込み１と同じように、第２の仕切り材８と嵌合する縦方向の切り込み９を設け、さらにその縦方向の切り込み９の閉塞端（開放端とは反対側の終点）に横方向の切り込み１０を設けて、全体としてＴ字状の切り込みを形成したものである。なお、図３に示すとおり、このＴ字状の切り込みは、第２の仕切り材８と嵌合するために複数設けられている。また、この実施の形態では、第２の仕切り材８には、図１（ａ）と同じように、幅の細い切り欠きが複数設けられている。
【００１３】
そして、この第１の仕切り材７と第２の仕切り材８とを嵌合させる際には、第１の仕切り材７の縦方向の切り込み９に、第２の仕切り材８を嵌め合わせることにより、第１の仕切り材７の縦方向の切り込み９付近を潰しながらの嵌合となるが、縦方向の切り込み９の閉塞端部分に横方向の切り込み１０を設けて全体にＴ字状の切り込みにしたことにより、縦方向の切り込み９の面保持力が低下して、縦方向の切り込み９のみが破損しやすくなり、横方向の切り込み１０は破損しない。
【００１４】
このため、第１の仕切り材７を第２の仕切り材８と嵌合させた場合に、第１の仕切り材７の横方向の切り込み１０がストッパーとなり、第１の仕切り材７がそれ以上破れたり破損したりすることがない。また、第２の仕切り材８との嵌合位置が固定され、嵌合後の格子形状が安定する。さらに、第１の仕切り材７のＴ字状の切り込みは、図１（ａ）に示すような切り欠きではなく、切り込み形状のみで形成できるため、型費も安くなり、安価での製作が可能となる。
【００１５】
なお、この実施の形態では、第１の仕切り材７と嵌合する第２の仕切り材８については、図１（ａ）に示す従来と同じ幅３ｍｍ以上の切り欠きを設けた仕切り材であるものとして説明したが、図１（ｂ）に示す縦方向の切り込み１のみを設けた仕切り材であってもよい。また、第２の仕切り材８として、この発明における第１の仕切り材７と同じ仕切り材を用いてもよいことは言うまでもなく、この場合には、嵌合後の格子形状がより安定する。さらには、第１の仕切り材７と第２の仕切り材８の高さをそろえる必要がなければ、第２の仕切り材８については、切り込みも切り欠きも設けていない仕切り材であってもよい。
そして、第２の仕切り材８がいずれのものであっても、第１の仕切り材７を第２の仕切り材８と嵌合させた場合には、第１の仕切り材７のＴ字状の切り込みのうちの横方向の切り込み１０がストッパーとなり、第２の仕切り材８との嵌合箇所において、第１の仕切り材７がそれ以上破れたり破損したりすることはない。
【００１６】
以上のように、この発明の第１の仕切り材７によれば、第２の仕切り材８と嵌合する複数の縦方向の切り込み９と、当該縦方向の切り込み９の閉塞端にそれぞれ設けられて、その縦方向の切り込み９と一体になってＴ字状の切り込みを形成する横方向の切り込み１０とを備えるようにしたので、第２の仕切り材８と嵌合させる場合の嵌合力が適度（強すぎず、弱すぎず）であり、嵌合により切り込み以上に破れたり破損したりすることがなく、仕切り材がたとえ厚みの薄い材質であったとしても、組立が容易で、かつ、組立後も外れにくい。また、第２の仕切り材８との嵌合位置が固定され、嵌合後の仕切り体としての格子形状が安定する。
【００１７】
なお、第１の仕切り材７の縦方向の切り込み９の閉塞端部分に設けられた横方向の切り込み１０は、単なる切り込みではなく開口部を有する長穴形状であっても、同じ効果が得られるものである。また、その長穴の縦方向の長さを調整することにより、縦方向の切り込み９の面保持力および切り込み９の嵌合接触面積を調整することが可能となり、嵌合力の調整が可能となる。
【００１８】
また、この実施の形態では、第１の仕切り材７および第２の仕切り材８は、ダンボール製であるものとして説明したが、材質はダンボールに限らず、例えばプラスチック製の薄板材などであっても適用できる。
【００１９】
なお、本願発明はその発明の範囲内において、実施の形態の任意の構成要素の変形、もしくは実施の形態の任意の構成要素の省略が可能である。
【符号の説明】
【００２０】
１  縦方向の切り込み、２  切り込み１の閉塞端、３  パッド、４  中仕切り体、５  仕切りユニット、６  梱包箱、７  第１の仕切り材、８  第２の仕切り材、９  縦方向の切り込み、１０  横方向の切り込み。
【図１】
2013018537.tif 000003
【図２】
2013018537.tif 000004
【図３】
2013018537.tif 000005
【図４】
2013018537.tif 000006